(57)【特許請求の範囲】
【請求項１】
先端部に撮像部を有する挿入部が延出する操作部と、
前記撮像部により撮像して得られた内視鏡画像を表示する表示部と、
前記操作部と前記表示部を接続するケーブルであって、前記操作部及び前記表示部の少なくとも一方に設けられた装置側コネクタ接続部に接続可能な少なくとも１つのケーブル側コネクタを有するケーブルと、
前記少なくとも１つのケーブル側コネクタを介して、前記操作部と前記表示部とを着脱可能に接続する接続機構と、
を有することを特徴とする内視鏡装置。
【請求項２】
前記装置側コネクタ接続部は、前記操作部に設けられた第１のコネクタ接続部と、前記表示部に設けられた第２のコネクタ接続部を含み、
前記ケーブルは、前記第１のコネクタ接続部に接続可能な第１のケーブル側コネクタと、前記第２のコネクタ接続部に接続可能な第２のケーブル側コネクタを有し、
前記接続機構は、前記第１のケーブル側コネクタに設けられた第１の接続部と、前記第２のケーブル側コネクタに設けられ、前記第１の接続部と着脱可能に接続可能な第２の接続部とを有することを特徴とする請求項１に記載の内視鏡装置。
【請求項３】
前記第１の接続部は、第１の凸部又は第１の凹部を有し、
前記第２の接続部は、前記第１の凸部と嵌合する第２の凹部又は前記第１の凹部と嵌合する第２の凸部を有し、
前記第１の凸部を前記第２の凹部に嵌合させることにより、あるいは前記第１の凹部を前記第２の凸部に嵌合させることにより、前記操作部と前記表示部とは着脱可能に接続されることを特徴とする請求項２に記載の内視鏡装置。
【請求項４】
前記第１の接続部と前記第２の接続部を接続状態で固定する固定部材を有することを特徴とする請求項２又は３に記載の内視鏡装置。
【請求項５】
前記装置側コネクタ接続部は、前記表示部に設けられたコネクタ接続部であり、
前記ケーブルは、前記コネクタ接続部に接続可能なケーブル側コネクタを有し、
前記接続機構は、前記ケーブル側コネクタに設けられた第１の接続部と、前記操作部に設けられ、前記第１の接続部と着脱可能に接続される第２の接続部とを有することを特徴とする請求項１に記載の内視鏡装置。
【請求項６】
前記第１の接続部は、第１の凸部又は第１の凹部を有し、
前記第２の接続部は、前記第１の凸部と嵌合する第２の凹部又は前記第１の凹部と嵌合する第２の凸部を有し、
前記第１の凸部を前記第２の凹部に嵌合させることにより、あるいは前記第１の凹部を前記第２の凸部に嵌合させることにより、前記操作部と前記表示部とは着脱可能に接続されることを特徴とする請求項５に記載の内視鏡装置。
【請求項７】
前記第１の接続部と前記第２の接続部を接続状態で固定する固定部材を有することを特徴とする請求項５又は６に記載の内視鏡装置。
【請求項８】
前記装置側コネクタ接続部は、前記操作部に設けられたコネクタ接続部であり、
前記ケーブルは、前記コネクタ接続部に接続可能なケーブル側コネクタを有し、
前記接続機構は、前記ケーブル側コネクタに設けられた第１の接続部と、前記表示部に設けられ、前記第１の接続部と着脱可能に接続される第２の接続部とを有することを特徴とする請求項１に記載の内視鏡装置。
【請求項９】
前記第１の接続部は、第１の凸部又は第１の凹部を有し、
前記第２の接続部は、前記第１の凸部と嵌合する第２の凹部又は前記第１の凹部と嵌合する第２の凸部を有し、
前記第１の凸部を前記第２の凹部に嵌合させることにより、あるいは前記第１の凹部を前記第２の凸部に嵌合させることにより、前記操作部と前記表示部とは着脱可能に接続されることを特徴とする請求項８に記載の内視鏡装置。
【請求項１０】
前記第１の接続部と前記第２の接続部を接続状態で固定する固定部材を有することを特徴とする請求項８又は９に記載の内視鏡装置。
【請求項１１】
前記操作部は、把持部を有し、
前記把持部の一端側に、バッテリを収容するバッテリ収容部を有し、
前記表示部は、前記把持部の他端側において着脱可能に接続されることを特徴とする請求項１から１０のいずれか１つに記載の内視鏡装置。
【発明の詳細な説明】
【技術分野】
【０００１】
本発明は、内視鏡装置に関する。
【背景技術】
【０００２】
従来より、内視鏡装置は、医療分野だけでなく、工業分野においても広く利用されている。内視鏡装置は、一般に、細長の挿入部を有し、挿入部を検査対象内に挿入して、挿入部の先端の観察窓に入射した検査対象部位からの反射光から内視鏡画像を得てモニタに表示することにより、内視鏡検査が行われる。
【０００３】
また、内視鏡装置には、挿入部の基端部に接続された操作部と、モニタを有する本体部とが分離したタイプと、挿入部の基端部に接続された操作部とモニタとが一体となったタイプがある。
【０００４】
従来の分離型の内視鏡装置は、例えば、国際公開第２０１１/０３０４１号明細書に開示のように、表示部を有する装置本体と、装置本体とユニバーサルケーブルで接続された操作部と、操作部から延出した挿入部とを有して構成される。
【０００５】
このような分離型の内視鏡装置の場合、装置本体を検査対象の近くの机、棚などに置いて、検査者は、一方の手で操作部を把持し、他方の手で挿入部を把持して、近くに置かれた装置本体の表示部に表示された内視鏡画像を見ながら、内視鏡検査を行うことができる。
【０００６】
また、一体型の内視鏡装置は、例えば、特開２０１２−２４５０５８号公報に開示のように、表示部を有する操作部と、操作部から延出した挿入部とを有して構成される。  
一体型の内視鏡装置の場合、検査者は、一方の手で操作部を把持し、他方の手で挿入部を把持して、操作部の表示部に表示された内視鏡画像を見ながら、内視鏡検査を行うことができる。
【０００７】
分離型の内視鏡装置は、表示部が装置本体に設けられているので、例えば複数人で内視鏡画像をみて検査を行うような検査方法ができるというメリットがあるが、装置本体を置く場所がないような検査場所では使用しづらい、あるいは使用できないというデメリットがある。
【０００８】
一方、一体型の内視鏡装置は、表示部が操作部に一体的に設けられているので、狭い検査場所でも使用できるというメリットがあるが、複数人で内視鏡画像をみて検査を行うことができないというデメリットがある。
【先行技術文献】
【特許文献】
【０００９】
【特許文献１】国際公開第２０１１/０３０４１号明細書
【特許文献２】特開２０１２−２４５０５８号公報
【発明の概要】
【発明が解決しようとする課題】
【００１０】
しかし、検査者が、検査対象のある場所の状況あるいは検査方法に応じて、分離型の内視鏡装置を用いて検査を行った後に一体型の内視鏡装置を用いた検査をしなければならない場合、あるいは一体型の内視鏡装置を用いて検査を行った後に分離型の内視鏡装置を用いた検査をしなければならない場合があると、検査者は、分離型の内視鏡装置と一体型の内視鏡装置の両方を用意して、両方を検査対象のある場所まで運ばなければならないという問題がある。
【００１１】
そこで、本発明は、一体型としてもかつ分離型としても使用可能な内視鏡装置を提供することを目的とする。
【課題を解決するための手段】
【００１２】
本発明の一態様の内視鏡装置は、先端部に撮像部を有する挿入部が延出する操作部と、前記撮像部により撮像して得られた内視鏡画像を表示する表示部と、前記操作部と前記表示部を接続するケーブルであって、前記操作部及び前記表示部の少なくとも一方に設けられた装置側コネクタ接続部に接続可能な少なくとも１つのケーブル側コネクタを有するケーブルと、前記少なくとも１つのケーブル側コネクタを介して、前記操作部と前記表示部とを着脱可能に接続する接続機構と、を有する。
【発明の効果】
【００１３】
本発明によれば、一体型としてもかつ分離型としても使用可能な内視鏡装置を提供することができる。
【図面の簡単な説明】
【００１４】
【図１】本発明の第１の実施の形態に関わる、正面側斜め方向から見た内視鏡装置の斜視図である。
【図２】本発明の第１の実施の形態に関わる、背面側斜め方向から見た内視鏡装置の斜視図である。
【図３】本発明の第１の実施の形態に関わる、正面側斜め方向から見た内視鏡装置の構成を示す斜視図である。
【図４】本発明の第１の実施の形態に関わる、背面側斜め方向から見た表示部の斜視図である。
【図５】本発明の第１の実施の形態に関わるコネクタ５１の正面図である。
【図６】本発明の第１の実施の形態に関わるコネクタ５１の左側面図である。
【図７】本発明の第１の実施の形態に関わるコネクタ５１の右側面図である。
【図８】本発明の第１の実施の形態に関わるコネクタ５２の正面図である。
【図９】本発明の第１の実施の形態に関わるコネクタ５２の右側面図である。
【図１０】本発明の第１の実施の形態に関わる内視鏡装置の正面図である。
【図１１】本発明の第１の実施の形態に関わる内視鏡装置の左側面図である。
【図１２】本発明の第１の実施の形態に関わる内視鏡装置の部分正面図である。
【図１３】本発明の第１の実施の形態に関わる内視鏡装置の部分側面図である。
【図１４】本発明の第１の実施の形態に関わる内視鏡装置の部分断面図である。
【図１５】本発明の第１の実施の形態に関わる内視鏡装置の部分断面図である。
【図１６】本発明の第１の実施の形態の変形例に関わる、２つのコネクタ同士が接続された状態を示す斜視図である。
【図１７】本発明の第１の実施の形態の変形例に関わるコネクタ５１Aの上面図である。
【図１８】本発明の第１の実施の形態の変形例に関わるコネクタ５１Aの正面図である。
【図１９】本発明の第１の実施の形態の変形例に関わるコネクタ５１Aの右側面図である。
【図２０】本発明の第１の実施の形態の変形例に関わるコネクタ５２Aの底面図である。
【図２１】本発明の第１の実施の形態の変形例に関わるコネクタ５２Aの正面図である。
【図２２】本発明の第１の実施の形態の変形例に関わるコネクタ５２Aの左側面図である。
【図２３】本発明の第２の実施の形態に関わる内視鏡装置の操作部２の部分斜視図である。
【図２４】本発明の第３の実施の形態に関わる内視鏡装置の表示部３の部分斜視図である。
【発明を実施するための形態】
【００１５】
以下、図面を参照して本発明の実施の形態を説明する。
（第１の実施の形態）
（全体構成）
図１は、本実施の形態に関わる、正面側斜め方向から見た内視鏡装置の斜視図である。図２は、本実施の形態に関わる、背面側斜め方向から見た内視鏡装置の斜視図である。図１及び図２は、表示部が操作部に取り付けられた一体型の内視鏡装置の構成を示す。図３は、本実施の形態に関わる、正面側斜め方向から見た内視鏡装置の構成を示す斜視図である。図３は、表示部が操作部から取り外された分離型の内視鏡装置の構成を示す。図４は、本実施の形態に関わる背面側斜め方向から見た表示部の斜視図である。
【００１６】
内視鏡装置１は、操作部２と、表示部３と、挿入部４と、ケーブル５とから構成されている。  
操作部２は、検査者であるユーザが片手で把持するための把持部１１と、把持部１１の先端側に設けられたジョイスティック１２と、各種操作ボタン１３と、コネクタ接続部１４（図３）と、把持部１１の基端側に設けられたバッテリ収納部１５とを有して構成されている。各種操作ボタン１３は、メニュー表示ボタン、ライブ画像表示ボタン、フリーズボタン及びレリーズボタン等である。バッテリ収納部１５は、バッテリ１５ａを収納するための部分である。
そして、表示部３は、後述するように、操作部２に対して着脱可能に構成されている。
【００１７】
すなわち、操作部２は、把持部１１を有し、把持部１１の一端側に、バッテリ１５ａを収容するバッテリ収容部１５を有し、表示部３は、把持部１１の他端側において着脱可能に接続されるので、内視鏡装置１の重量バランスがよい。
【００１８】
操作部２は、樹脂などからなる筐体内に、各種回路基板、配線、湾曲機構などが配設され、ユーザが片手で把持できる形状を有している。操作部２の把持部１１は、筐体の一部により形成され、ジョイスティック１２は、筐体の表面から立設するように設けられている。
【００１９】
また、操作部２が誤って床などに落とされたときに、ジョイスティック１２及び各種操作ボタン１３が床などに直接当たらないようにするための保護用の突出部１６が、操作部２の筐体の一部に設けられている。
【００２０】
操作部２の先端側から、細長の挿入部４が延出している。挿入部４は、可撓性を有し、基端部が操作部２に接続されている。  
挿入部４は、先端から、先端硬性部２１、湾曲部２２及び可撓管部２３が連設されて構成されている。すなわち、挿入部４の先端に先端硬性部２１が設けられ、先端硬性部２１の基端部に、湾曲部２２が設けられ、湾曲部２２の基端部には、可撓管部２３が設けられている。
【００２１】
先端硬性部２１は、撮像部としての撮像素子を内蔵している。先端硬性部２１の先端面には、図示しない観察窓及び照明窓が設けられている。照明窓から出射された照明光により被写体が照明され、撮像素子は、受光面を有し、被写体からの反射光を観察窓を通して受光面で受光し、受光面に形成された被写体像を光電変換して、画像信号を出力する。
以上のように、操作部２からは、先端部に撮像部を有する挿入部４が延出している。
【００２２】
湾曲部２２は、連設された複数の湾曲駒と、湾曲駒に接続された複数の湾曲ワイヤを含む湾曲機構を有する。湾曲操作部であるジョイスティック１２は、ユーザが片手で把持部１１を把持した状態で、親指で操作可能な位置に配設されている。
【００２３】
湾曲部２２は、ジョイスティック１２に対する傾倒操作に応じて、上述した複数の湾曲ワイヤが牽引あるいは弛緩されることにより、先端硬性部２１の観察窓の視野方向を変更するように上下左右方向に湾曲可能である。よって、ユーザは、ジョイスティックを操作して、湾曲部を所望の方向に湾曲させることができる。  
可撓管部２３は、可撓性を有し、各種信号線、複数の湾曲ワイヤなどが挿通されている。
【００２４】
ケーブル５は、操作部２から表示部３へ画像信号を出力するためのケーブルであり、両端に、ケーブル側コネクタであるコネクタ５１と５２を有している。  
ケーブル５のコネクタ５１と接続可能なコネクタ接続部１４は、操作部２の筐体の先端側に配設されている。コネクタ接続部１４は、操作部２に設けられた装置側コネクタ接続部である。
【００２５】
表示部３は、液晶表示器などの表示装置を筐体内に有している。表示部３の筐体の一部には、表示装置への画像信号などを入力するために、ケーブル５のコネクタ５２と接続可能なコネクタ接続部３１を有している（図４）。表示部３は、撮像素子により撮像して得られた内視鏡画像を表示する。コネクタ接続部３１は、表示部３に設けられた装置側コネクタ接続部である。  
以上のように、ケーブル５は、操作部２と表示部３を接続するケーブルであって、操作部２に設けられた装置側コネクタ接続部１４に接続可能なケーブル側コネクタ５１と、表示部３に設けられた装置側コネクタ接続部３１に接続可能なケーブル側コネクタ５２とを有するケーブルである。
【００２６】
表示部３は、表示装置の表示画面３ａの背面側に、突出部３ｂを有している。  
コネクタ５１と５２には、お互いに接続するための接続機構が設けられている。ユーザは、コネクタ５１と５２とを接続して一体にすることにより、図１に示すように表示部３を操作部２に接続した状態で内視鏡装置１を使用することもできるし、コネクタ５１と５２とを分離することにより、図３に示すように、表示部３を操作部２から分離した状態で内視鏡装置１を使用することもできる。
【００２７】
次に、コネクタ５１と５２に設けられた接続機構について説明する。
（接続機構の構成）
図５は、コネクタ５１の正面図である。図６は、コネクタ５１の左側面図である。図７は、コネクタ５１の右側面図である。図８は、コネクタ５２の正面図である。図９は、コネクタ５２の右側面図である。
【００２８】
コネクタ５１は、箱形形状を有し、操作部２のコネクタ接続部１４に着脱可能に接続される。コネクタ接続部３１に接続されるコネクタ５１の側面には、雌型のコネクタ端子部６１が配設されている。コネクタ端子部６１は、操作部２のコネクタ接続部１４に配設された雄型のコネクタ端子部（図示せず）と接続可能な構成を有している。
【００２９】
コネクタ端子部６１が配設された側面とは反対側のコネクタ５１の側面からは、ケーブル５が延出している。  
コネクタ端子部６１が配設された側面に隣り合う２つの面には、コネクタ５１をコネクタ接続部３１から外すときに操作される２つの操作ボタン６２が設けられている。ユーザが２つの操作ボタン６２を同時に押し込むようにして操作すると、コネクタ端子部６１に設けられた係合部材が、操作部２のコネクタ接続部１４に配設されたコネクタ端子部（図示せず）の係合部から外れ、コネクタ５１をコネクタ接続部１４から外すことができる。
【００３０】
また、コネクタ５１をコネクタ接続部１４に押し込むようにして接続すると、コネクタ端子部６１に設けられた係合部材が、操作部２のコネクタ接続部１４に配設されたコネクタ端子部（図示せず）の係合部に係合する。
【００３１】
同様に、コネクタ５２も、図８及び図９に示すように、箱形形状を有し、表示部３のコネクタ接続部３１に着脱可能に接続される。コネクタ接続部３１に接続されるコネクタ５２の側面には、雄型のコネクタ端子部６３が配設されている。コネクタ端子部６３は、表示部３のコネクタ接続部３１に配設された雌型のコネクタ端子部（図示せず）と接続可能な構成を有している。
【００３２】
コネクタ端子部６３が配設された側面とは反対側のコネクタ５２の側面からは、ケーブル５が延出している。  
コネクタ端子部６３が配設された側面に隣り合う２つの面には、コネクタ５２をコネクタ接続部３１から外すときに操作される２つの操作ボタン６４が設けられている。ユーザが２つの操作ボタン６４を同時に押し込むようにして操作すると、コネクタ端子部６３に設けられた係合部材が、表示部３のコネクタ接続部３１に配設されたコネクタ端子部（図示せず）の係合部から外れ、コネクタ５２をコネクタ接続部３１から外すことができる。
【００３３】
また、コネクタ５２をコネクタ接続部３１に押し込むようにして接続すると、コネクタ端子部６３に設けられた係合部材が、表示部３のコネクタ接続部３１に配設されたコネクタ端子部（図示せず）の係合部に係合する。
【００３４】
そして、ケーブル５に設けられた２つのコネクタ５１と５２には、操作部２と表示部３を、ケーブル側コネクタであるコネクタ５１と５２を介して、着脱可能に接続するための接続機構が設けられている。
【００３５】
具体的には、コネクタ５１の上面側には、凸部７１ａを有する係合部７１が形成されている。係合部７１は、コネクタ５１の筐体の一部であってもよいし、コネクタ５１の筐体に固定された部材でもよい。
【００３６】
係合部７１は、所定の方向に沿って延出し、断面がT字形状を有する凸部７１ａを有する。さらに、係合部７１は、端部に突き当て部７１ｂを有している。  
一方、コネクタ５２の下面側には、凹部７２ａを有する係合部７２が形成されている。係合部７２は、コネクタ５２の筐体の一部であってもよいし、コネクタ５２の筐体に固定された部材でもよい。
【００３７】
凹部７２ａは、所定の方向に沿って延出し、係合部７１のT字形状の凸部７１ａが嵌まり合う溝形状を有する。  
さらに、係合部７２には、係合部７１を固定するための固定部材としての固定螺子６５が設けられている。固定螺子６５は、係合部７２に形成された螺子孔に螺合しており、固定螺子６５を回して固定螺子６５の先端部を凹部７２ａ内の凸部７１ａの側面部を押圧することによって、係合部７２に係合部７１を固定するための部材である。
【００３８】
以上のように、装置側コネクタ接続部として、操作部２には、コネクタ接続部１４が設けられ、表示部３には、装置側コネクタ接続部として、コネクタ接続部３１が設けられている。ケーブル５は、コネクタ接続部１４に接続可能なコネクタ５１と、コネクタ接続部３１に接続可能なコネクタ５２を有している。
【００３９】
そして、接続機構は、コネクタ５１に設けられた接続部としての係合部７１と、コネクタ５２に設けられ、係合部７１と着脱可能に接続可能な接続部としての係合部７２とを有している。係合部７１は、凸部７１ａを有し、係合部７２は、凸部７１ａと嵌合する凹部７２ａを有している。凸部７１ａを凹部７２ａに嵌合させることにより、操作部２と表示部３とは着脱可能に接続される。
（作用）
次に、上述した接続機構の作用について説明する。
【００４０】
図１０は、内視鏡装置の正面図である。図１１は、内視鏡装置の左側面図である。図１２は、内視鏡装置の部分正面図である。図１２は、図１０の二点鎖線R1で示す範囲の部分正面図である。図１３は、内視鏡装置の部分側面図である。図１３は、図１２の二点鎖線R2で示す範囲の部分側面図である。図１４は、内視鏡装置の部分断面図である。図１５は、内視鏡装置の部分断面図である。図１４と図１５は、内部構成を省略した断面を示す。図１４は、図１２の二点鎖線R3で示す範囲の部分断面図である。図１５は、図１３の一点鎖線XV−XV線に沿った部分断面図である。
【００４１】
ユーザは、内視鏡装置１を使用するとき、ケーブル５のコネクタ５１を操作部２のコネクタ接続部１４に接続し、コネクタ５２を表示部３のコネクタ接続部３１に接続する。  
ユーザは、表示部３を操作部２から外して、図３に示すような分離型の形態で内視鏡装置１を使用することができだけでなく、表示部３を操作部２に接続して装着し、図１に示すような一体型の形態で内視鏡装置１を使用することができる。
【００４２】
ユーザは、操作部２と表示部３が一体になった一体型の内視鏡装置として、内視鏡装置１を使用する場合、コネクタ５１の係合部７１とコネクタ５２の係合部７２とを係合させて、表示部３を操作部２に装着する。
【００４３】
表示部３を操作部２に装着する場合、ユーザは、図１０の矢印L1で示す方向から、係合部７２の凹部７２ａに、係合部７１のT字形状を有する凸部７１ａが嵌合して係合するようにして、コネクタ５２をコネクタ５１に装着する。
【００４４】
係合部７２を係合部７１に係合させたとき、凹部７２ａの端部は係合部７１の突き当て部７１ｂに付き当たる。係合部７２が係合部７１に係合した状態で、ユーザは、固定螺子６５を回して、係合部７２を係合部７１に対して固定する。
【００４５】
固定螺子６５の先端部を係合部７１に押圧させることにより、係合部７１と７２が強固に固定され、係合部７２が係合部７１から容易に抜け落ちることがない。すなわち、固定螺子６５は、係合部７１と係合部７２を係合させて、コネクタ５１と５２を接続した接続状態で、係合部７１を係合部７２に固定する固定部材を構成する。
【００４６】
また、ユーザが、操作部２から表示部３を外して、分離型の内視鏡装置として、内視鏡装置１を使用する場合、コネクタ５１の係合部７１とコネクタ５２の係合部７２の係合を解くことにより、表示部３を操作部２から分離する。
【００４７】
内視鏡装置１が一体型の状態にあるときは、ユーザは、固定螺子６５を回して、固定螺子６５の先端部が係合部７１の表面を押圧している押圧状態から、非先端部が係合部７１の表面を押圧しない非押圧状態にすることにより、係合部７１から係合部７２を外すことができる。
【００４８】
なお、図１４に示すように、コネクタ５１をコネクタ接続部１４に接続したとき、コネクタ接続部１４に設けられた弾性部材であるリング状のパッキン８１が、コネクタ５１とコネクタ接続部１４の接続部分の内部を水密に保つ。
【００４９】
同様に、コネクタ５２をコネクタ接続部３１に接続したとき、コネクタ接続部３１に設けられた弾性部材であるリング状のパッキン８２が、コネクタ５２とコネクタ接続部３１の接続部分の内部を水密に保つ。
【００５０】
以上のように、本実施の形態によれば、操作部と表示部は、両者を接続するケーブルの２つのコネクタに設けられた接続機構により接続可能となっているので、ユーザは、内視鏡装置を、一体型でも分離型でも使用可能となる。
【００５１】
なお、上述した実施の形態では、凸部７１ａを有する係合部７１がコネクタ５１に設けられ、凹部７２ａを有する係合部７２がコネクタ５２に設けられているが、凸部７１ａを有する係合部７１をコネクタ５２に設け、凹部７２ａを有する係合部７２をコネクタ５１に設けてもよい。
（変形例）
上述したケーブル５の２つのコネクタ５１と５２の変形例について説明する。
【００５２】
図１６から図２２は、第１の実施の形態のケーブル５に設けられた２つのコネクタ５１と５２の変形例を説明するための図である。図１６から図２２において、第１の実施の形態と同じ構成要素については、同じ符号を付して説明は省略する。  
図１６は、２つのコネクタ同士が接続された状態を示す斜視図である。図１６は、コネクタ５１Aとコネクタ５２Aが接続された状態を示している。コネクタ５１Aは、操作部２のコネクタ接続部１４に接続されるコネクタであり、コネクタ５２Aは、表示部３のコネクタ接続部３１に接続されるコネクタである。
【００５３】
図１７は、コネクタ５１Aの上面図である。図１８は、コネクタ５１Aの正面図である。図１９は、コネクタ５１Aの右側面図である。図２０は、コネクタ５２Aの底面図である。図２１は、コネクタ５２Aの正面図である。図２２は、コネクタ５２Aの左側面図である。
【００５４】
コネクタ５１Aは、上面側に係合部７１Aを有している。係合部７１Aは、樹脂製であり、コネクタ５１Aの上面側に突出した細長の突出部８１を有する。さらに、係合部７１Aは、突出部８１の両端から延出し、ケーブル５からコネクタ端子部６１の方向に平行に延出した２本の腕部８２を有している。２本の腕部８２は、薄い板形状を有しており、弾性を有している。
【００５５】
各腕部８２の先端部には、ケーブル５からコネクタ端子部６１の方向に対して直交する方向に突出した突出部８２ａが形成されている。２つの突出部８２ａは、互いに反対方向に突出するように、２つの腕部８２に形成されている。各突出部８２ａの先端部には、先端側に向かって細くなるように形成されたテーパ部８２ａ１が形成されている。
【００５６】
さらに、各腕部８２の略中央部には、ケーブル５からコネクタ端子部６１の方向に対して直交する方向に突出し、係合部７１Aを係合部７２Aから外すための突出部８２ｂが形成されている。２つの突出部８２ｂは、互いに反対方向に突出するように、２つの腕部８２に形成されている。
【００５７】
なお、係合部７１Aは、コネクタ５１Aの筐体の一部であってもよいし、コネクタ５１Aの筐体に固定された部材でもよい。  
コネクタ５２Aは、底面側に係合部７２Aを有している。係合部７２Aは、樹脂製であり、底板８３と、２つの側壁８４を有している。係合部７１Aの２本の腕部８２は、コネクタ５２Aの外周面と、底板８３と、２つの側壁８４により形成される空間内に収容可能となっている。係合部７１Aの２本の腕部８２は、コネクタ端子部６３側の収容空間の開口から収容可能である。
【００５８】
２本の腕部８２が収容空間内に収容されたときに、２つの突出部８２ａが嵌合する２つの孔８４ａを、２つの側壁８４は有している。さらに、２つの側壁８４には、２つの突出部８２ｂが入り込む２つの切り欠き部８４ｂが形成されている。２つの突出部８２ｂは、係合部７１Aと係合部７２Aを係合させて、コネクタ５１Aと５２Aを接続した接続状態で、係合部７１Aを係合部７２Aに固定する固定部材を構成する。
【００５９】
なお、係合部７２Aは、コネクタ５２Aの筐体の一部であってもよいし、コネクタ５２Aの筐体に固定された部材でもよい。  
以上のような構成を有するコネクタ５１Aと５２Aを、それぞれコネクタ接続部１４と３１に接続した状態で、図１６に示す矢印L2で示す方向から、係合部７１Aの２本の腕部８２を、係合部７２A内に収容するように押し込むと、弾性を有する２本の腕部８２の２つの突出部８２ａが側壁８４の内側面に沿って移動した後、２つの孔８４ａに嵌合する。その結果、コネクタ５２Aがコネクタ５１Aに装着され、表示部３が操作部２に固定された一体型の内視鏡装置として、ユーザは、内視鏡装置１を使用することができる。
【００６０】
コネクタ５２Aがコネクタ５１Aに装着されている状態で、ユーザが２つの突出部８２ｂを摘まんで、２つの腕部８２を曲げて２つの突出部８２ａの２つの孔８４ａとの係合状態を解くと、コネクタ５１Aをコネクタ５２Aから外すことができる。その結果、表示部３が操作部２に固定されない、分離型の内視鏡装置として、ユーザは、内視鏡装置１を使用することができる。
【００６１】
従って、本変形例にかかるケーブル５のコネクタ５１Aと５２Aを用いても、上述した第１の実施の形態と同様の効果を得ることができる。  
なお、上述した例では、コネクタ５１Aは、操作部２のコネクタ接続部１４に接続されるコネクタであり、コネクタ５２Aは、表示部３のコネクタ接続部３１に接続されるコネクタであるが、コネクタ５１Aが、表示部３のコネクタ接続部３１に接続されるコネクタで、コネクタ５２Aが、操作部２のコネクタ接続部１４に接続されるコネクタであってもよい。
（第２の実施の形態）
第１の実施の形態及び変形例では、表示部３を操作部２に接続するための接続機構は、ケーブルの両端の２つのコネクタ５１，５２（５１A、５２A）に設けられているが、第２の実施の形態では、表示部３を操作部２に接続するための接続機構は、表示部３のコネクタ接続部３１と接続するためのケーブル５のコネクタ５２（５２A）と、操作部２の筺体とに設けられている。
【００６２】
第２の実施の形態において、第１の実施の形態の内視鏡装置と同じ構成要素については、同じ符号を付して説明は省略し、異なる構成について説明する。  
第２の実施の形態では、ケーブル５は、操作部２から延出している。
【００６３】
ケーブル５の一端には、コネクタ５２が設けられており、コネクタ５２は、表示部３に設けられたコネクタ接続部３１と着脱可能となっている。  
図２３は、本実施の形態に関わる内視鏡装置の操作部２の部分斜視図である。図２３に示すように、操作部２の筐体の表面上には、凸部７１ａを有する係合部７１が形成されている。ケーブル５は、係合部７１の近傍の操作部２の筺体から延出している。
【００６４】
以上のように、コネクタ接続部３１が、表示部３に設けられ、ケーブル５は、コネクタ接続部３１に接続可能なコネクタ５２を有する。そして、接続機構は、コネクタ５２に設けられた係合部７２と、操作部２に設けられかつ係合部７２と着脱可能に接続される係合部７１とを有する。係合部７１は、凸部７１ａを有し、係合部７２は、凸部７１ａと嵌合する凹部７２ａを有する。そして、凸部７１ａを凹部７２ａに嵌合させることにより、操作部２と表示部３とは着脱可能に接続される。
【００６５】
よって、ユーザが、一体型で内視鏡装置１を使用したい場合は、表示部３のコネクタ接続部３１に接続したケーブル５のコネクタ５２の係合部７２を、操作部２の筐体の表面上に設けられた係合部７１に係合させ、固定螺子６５を回して、係合部７２を係合部７１に対して固定する。
【００６６】
また、ユーザが、分離型で内視鏡装置を使用したい場合は、固定螺子６５を回して、係合部７２を係合部７１に対して非固定状態にして、表示部３のコネクタ接続部３１に接続したケーブル５のコネクタ５２の係合部７２を、操作部２の筐体の表面上に設けられた係合部７１から外す。
【００６７】
よって、本実施の形態によれば、表示部３を操作部２に接続するための接続機構は、表示部３のコネクタ接続部３１と接続するためのケーブル５のコネクタ５２と、操作部２の筺体とに設けられているので、ユーザは、内視鏡装置１を、一体型でも分離型でも使用可能となる。
【００６８】
なお、上述した実施の形態では、凸部７１ａを有する係合部７１が操作部２に設けられ、凹部７２ａを有する係合部７２がコネクタ５２に設けられているが、凸部７１ａを有する係合部７１をコネクタ５２に設け、凹部７２ａを有する係合部７２を操作部２の筺体に設けてもよい。
【００６９】
さらになお、上述した係合部７１と７２に代えて、それぞれ上述した変形例で説明した係合部７１Aと７２Aを用いてもよい。
（第３の実施の形態）
第１の実施の形態及び変形例では、表示部３を操作部２に接続するための接続機構は、ケーブル５の両端の２つのコネクタ５１，５２（５１A、５２A）に設けられ、第２の実施の形態では、表示部３を操作部２に接続するための接続機構は、表示部３のコネクタ接続部３１と接続するためのケーブル５のコネクタ５２と、操作部２の筺体とに設けられているが、第３の実施の形態では、表示部３を操作部２に接続するための接続機構は、操作部２のコネクタ接続部１４と接続するためのケーブル５のコネクタ５１と、表示部３の筺体とに設けられている。
【００７０】
第３の実施の形態において、第１の実施の形態の内視鏡装置と同じ構成要素については、同じ符号を付して説明は省略し、異なる構成について説明する。  
第３の実施の形態では、ケーブル５は、表示部３から延出している。
【００７１】
ケーブル５の一端には、コネクタ５１が設けられており、コネクタ５１は、操作部２に設けられたコネクタ接続部１４と着脱可能となっている。  
図２４は、本実施の形態に関わる内視鏡装置の表示部３の部分斜視図である。図２４に示すように、表示部３の筐体の表面上には、凹部７２ａを有する係合部７２が形成されている、ケーブル５は、係合部７２の近傍の表示部３の筺体から延出している。
【００７２】
以上のように、コネクタ接続部１４が、操作部２に設けられ、ケーブル５は、コネクタ接続部１４に接続可能なコネクタ５１を有する。そして、接続機構は、コネクタ５１に設けられた係合部７１と、表示部３に設けられかつ係合部７１と着脱可能に接続される係合部７２とを有する。係合部７２は、凹部７２ａを有し、係合部７１は、凹部７２ａと嵌合する凸部７１ａを有し、凸部７１ａを凹部７２ａに嵌合させることにより、操作部２と表示部３とは着脱可能に接続される。
【００７３】
よって、ユーザが、一体型で内視鏡装置を使用したい場合は、操作部２のコネクタ接続部１４に接続したケーブル５のコネクタ５１の係合部７１を、表示部３の筐体の表面上に設けられた係合部７２に係合させ、固定螺子６５を回して、係合部７１を係合部７２に対して固定する。
【００７４】
また、ユーザが、分離型で内視鏡装置を使用したい場合は、固定螺子６５を回して、係合部７２を係合部７１に対して非固定状態にして、操作部２のコネクタ接続部１４に接続したケーブル５のコネクタ５１の係合部７１から、表示部３の筐体の表面上に設けられた係合部７２を外す。
【００７５】
よって、本実施の形態によれば、表示部３を操作部２に接続するための接続機構は、操作部２のコネクタ接続部１４と接続するためのケーブル５のコネクタ５１と、表示部３の筺体と設けられているので、ユーザは、内視鏡装置を、一体型でも分離型でも使用可能となる。
【００７６】
なお、上述した実施の形態では、凸部７１ａを有する係合部７１がコネクタ５１に設けられ、凹部７２ａを有する係合部７２が表示部３に設けられているが、凸部７１ａを有する係合部７１をコネクタ５２に設け、凹部７２ａを有する係合部７２を操作部２の筺体に設けてもよい。
【００７７】
さらになお、本実施の形態においても、上述した係合部７１と７２に代えて、それぞれ上述した変形例で説明した係合部７１Aと７２Aを用いてもよい。  
以上説明したように、上述した各実施の形態及び変形例によれば、内視鏡装置は、先端部に撮像部を有する挿入部が延出する操作部と、撮像部により撮像して得られた内視鏡画像を表示する表示部と、操作部と表示部を接続するケーブルであって、操作部及び表示部の少なくとも一方に設けられた装置側コネクタ接続部に接続可能な少なくとも１つのケーブル側コネクタを有するケーブルと、少なくとも１つのケーブル側コネクタを介して、操作部と表示部とを着脱可能に接続する接続機構と、を有するので、一体型としてもかつ分離型としても使用可能な内視鏡装置を提供することができる。
【００７８】
本発明は、上述した実施の形態に限定されるものではなく、本発明の要旨を変えない範囲において、種々の変更、改変等が可能である。
【符号の説明】
【００７９】
１  内視鏡装置、２  操作部、３  表示部、３ａ  表示画面、３ｂ  突出部、４  挿入部、５  ケーブル、１１  把持部、１２  ジョイスティック、１３  各種操作ボタン、１４  コネクタ接続部、１５  バッテリ収納部、１５ａ  バッテリ、１６  突出部、２１  先端硬性部、２２  湾曲部、２３  可撓管部、３１  コネクタ接続部、５１、５１A、５２、５２A  コネクタ、６１  コネクタ端子部、６２  操作ボタン、６３  コネクタ端子部、６４  操作ボタン、６５  固定螺子、７１、７１A  係合部、７１ａ  凸部、７１ｂ  突き当て部、７２、７２A  係合部、７２ａ  凹部、８１  突出部、８２  腕部、８２ａ  突出部、８２ａ１  テーパ部、８２ｂ  突出部、８３  底板、８４  側壁、８４ａ  孔、８４ｂ  切り欠き部、８５、８６  パッキン。
【図１】
0006625400.tif 000002
【図２】
0006625400.tif 000003
【図３】
0006625400.tif 000004
【図４】
0006625400.tif 000005
【図５】
0006625400.tif 000006
【図６】
0006625400.tif 000007
【図７】
0006625400.tif 000008
【図８】
0006625400.tif 000009
【図９】
0006625400.tif 000010
【図１０】
0006625400.tif 000011
【図１１】
0006625400.tif 000012
【図１２】
0006625400.tif 000013
【図１３】
0006625400.tif 000014
【図１４】
0006625400.tif 000015
【図１５】
0006625400.tif 000016
【図１６】
0006625400.tif 000017
【図１７】
0006625400.tif 000018
【図１８】
0006625400.tif 000019
【図１９】
0006625400.tif 000020
【図２０】
0006625400.tif 000021
【図２１】
0006625400.tif 000022
【図２２】
0006625400.tif 000023
【図２３】
0006625400.tif 000024
【図２４】
0006625400.tif 000025